(57)【要約】【課題】紫外線によるシート部材の劣化を抑制するとともに操作パネルの密閉性の劣化を抑制することが可能なインバータ装置を提供する。【解決手段】このインバータ装置１００は、インバータ本体部１と、インバータ本体部１を覆う筐体２と、筐体２に取り付けられ、インバータ本体部１の操作に用いられる操作パネル３と、操作パネル３を密閉して覆うように設けられる密閉シート４と、を備える。また、インバータ装置１００は、操作パネル３および密閉シート４を覆うように設けられ、紫外線を遮蔽するアクリル板５を備える。【選択図】図１
2019103155.tif 000002
【特許請求の範囲】
【請求項１】
インバータ本体部と、
前記インバータ本体部を覆う筐体と、
前記筐体に取り付けられ、前記インバータ本体部の操作に用いられる操作部と、
前記操作部を密閉して覆うように設けられるシート部材と、
前記操作部および前記シート部材を覆うように設けられ、紫外線を遮蔽する紫外線遮蔽部材と、を備える、インバータ装置。
【請求項２】
前記紫外線遮蔽部材は、前記筐体の外表面に対して開閉させて、前記操作部を露出可能に構成されている、請求項１に記載のインバータ装置。
【請求項３】
前記紫外線遮蔽部材は、前記筐体の外表面に沿って移動させて、前記操作部を露出可能に構成されている、請求項２に記載のインバータ装置。
【請求項４】
前記紫外線遮蔽部材を前記筐体の外表面に取り付けるための第１締結部材を備え、
前記第１締結部材は、前記紫外線遮蔽部材を前記筐体の外表面に沿って回動させて前記操作部を露出可能に、前記紫外線遮蔽部材を前記筐体の外表面に取り付けている、請求項３に記載のインバータ装置。
【請求項５】
前記紫外線遮蔽部材の外縁近傍に設けられ、前記第１締結部材が貫通するスペーサ部材をさらに備え、
前記第１締結部材が前記スペーサ部材を貫通した状態で前記筐体の外表面に締結されることにより、前記紫外線遮蔽部材が前記筐体の外表面に沿って回動可能に前記筐体の外表面に取り付けられている、請求項４に記載のインバータ装置。
【請求項６】
前記紫外線遮蔽部材は、略矩形形状を有しており、
略矩形形状の前記紫外線遮蔽部材の第１角部近傍には、前記スペーサ部材が取り付けられる貫通孔が設けられているともに、前記第１角部の対角に対応する第２角部近傍には、切欠き部が設けられており、
前記切欠き部を貫通した状態で前記紫外線遮蔽部材を前記筐体の外表面に対して固定する第２締結部材をさらに備える、請求項５に記載のインバータ装置。
【請求項７】
前記第２締結部材は、つまみネジ部材を含み、
前記つまみネジ部材が緩められた場合に、前記つまみネジ部材が前記切欠き部を通過することにより前記紫外線遮蔽部材が回動可能に構成されている、請求項６に記載のインバータ装置。
【請求項８】
前記インバータ本体部の正面側から見て、前記筐体の外表面は、略矩形形状を有しており、
前記紫外線遮蔽部材は、前記インバータ本体部が設置された状態で、水平方向における前記筐体の略中央部に設けられている、請求項１〜７のいずれか１項に記載のインバータ装置。
【請求項９】
前記筐体の前記操作部が配置される位置には、操作部側開口部が設けられており、
前記筐体の裏面において、前記操作部側開口部の周縁に密着して設けられ、前記シート部材の外縁部の前記筐体側の表面と密着する操作部側シール部材をさらに備える、請求項１〜８のいずれか１項に記載のインバータ装置。
【請求項１０】
前記操作部の前記筐体とは反対側に設けられ、前記シート部材とによって前記操作部を挟み込む固定部と、
前記筐体の裏面に対して、前記固定部、前記操作部、前記シート部材および前記操作部側シール部材を挟んだ状態で、前記筐体の裏面に固定される板金部材とを、さらに備える、請求項９に記載のインバータ装置。
【請求項１１】
前記筐体の裏面に対して、前記固定部、前記操作部、前記シート部材および前記操作部側シール部材を挟んだ状態で、前記板金部材を介して前記筐体の裏面に締結される第３締結部材をさらに備える、請求項１０に記載のインバータ装置。
【請求項１２】
前記筐体は、前記インバータ本体部を内部に収容する箱状の筐体本体部と、前記操作部が取り付けられるとともに前記箱状の筐体本体部を覆う開閉可能な筐体蓋部とを含み、
前記筐体本体部と前記筐体蓋部との間に設けられる筐体側シール部材をさらに備える、請求項１〜１１のいずれか１項に記載のインバータ装置。
【発明の詳細な説明】
【技術分野】
【０００１】
この発明は、インバータ装置に関し、特に、インバータ本体部の操作に用いられる操作部を備えるインバータ装置に関する。
【背景技術】
【０００２】
従来、インバータ本体部の操作に用いられる操作部を備えるインバータ装置が知られている（たとえば、特許文献１参照）。
【０００３】
上記特許文献１のインバータ装置には、ユニットケースが設けられている。ユニットケースには、半導体モジュールを含む主回路部および制御回路部の組立体に操作パネルが組み合わされて収容されている。操作パネルは、ユニットケースの前面に設けられた前面カバーの開口部から露出するように設けられている。これにより、ユーザは、前面カバーを取り外すことなく、操作パネルを操作することが可能である。また、上記特許文献１には明記されていないが、従来では、防水または防塵のために、操作パネルを密閉するためのシート部材が、操作パネルの前面（操作面）を覆うように設けられる場合がある。
【先行技術文献】
【特許文献】
【０００４】
【特許文献１】特開２００８−１５４３３１号公報
【発明の概要】
【発明が解決しようとする課題】
【０００５】
しかしながら、シート部材が設けられた従来のインバータ装置では、インバータ装置に紫外線が照射された場合に、上記シート部材が紫外線により劣化するという不都合がある。この場合、シート部材の劣化に起因して操作パネルの密閉性が劣化するという問題点がある。
【０００６】
この発明は、上記のような課題を解決するためになされたものであり、この発明の１つの目的は、紫外線によるシート部材の劣化を抑制するとともに操作パネルの密閉性の劣化を抑制することが可能なインバータ装置を提供することである。
【課題を解決するための手段】
【０００７】
上記目的を達成するために、この発明の一の局面によるインバータ装置は、インバータ本体部と、インバータ本体部を覆う筐体と、筐体に取り付けられ、インバータ本体部の操作に用いられる操作部と、操作部を密閉して覆うように設けられるシート部材と、操作部およびシート部材を覆うように設けられ、紫外線を遮蔽する紫外線遮蔽部材と、を備える。
【０００８】
この発明の一の局面によるインバータ装置では、上記のように、紫外線遮蔽部材が操作部およびシート部材を覆うように設けられていることによって、紫外線遮蔽部材によりシート部材に紫外線が照射されるのを抑制することができるので、シート部材の紫外線による劣化を抑制することができる。その結果、シート部材の劣化に起因する操作部の密閉性の劣化を抑制することができる。
【０００９】
上記一の局面によるインバータ装置において、好ましくは、紫外線遮蔽部材は、筐体の外表面に対して開閉させて、操作部を露出可能に構成されている。このように構成すれば、ユーザが操作部を操作する場合などの必要な場合だけ、紫外線遮蔽部材を開いて操作部を露出させることができる。その結果、ユーザの操作性を確保しながら、紫外線遮蔽部材により紫外線によるシート部材の劣化を抑制することができる。
【００１０】
この場合、好ましくは、紫外線遮蔽部材は、筐体の外表面に沿って移動させて、操作部を露出可能に構成されている。このように構成すれば、ユーザが紫外線遮蔽部材を移動させる場合に、ユーザ側（手前側）に紫外線遮蔽部材が移動することがないので、周囲に機器が配置されている狭い空間などにおいても、容易に紫外線遮蔽部材を移動させることができる。
【００１１】
上記紫外線遮蔽部材を筐体の外表面に沿って移動させるインバータ装置において、好ましくは、紫外線遮蔽部材を筐体の外表面に取り付けるための第１締結部材を備え、第１締結部材は、紫外線遮蔽部材を筐体の外表面に沿って回動させて操作部を露出可能に、紫外線遮蔽部材を筐体の外表面に取り付けている。このように構成すれば、筐体の外表面への取り付けに用いられる第１締結部材を利用して、紫外線遮蔽部材を回動させることができるので、装置構成を簡略化することができるとともに部品点数の増加を抑制することができる。
【００１２】
この場合、好ましくは、紫外線遮蔽部材の外縁近傍に設けられ、第１締結部材が貫通するスペーサ部材をさらに備え、第１締結部材がスペーサ部材を貫通した状態で筐体の外表面に締結されることにより、紫外線遮蔽部材が筐体の外表面に沿って回動可能に筐体の外表面に取り付けられている。このように構成すれば、スペーサ部材を用いることによって第１締結部材により紫外線遮蔽部材が筐体の外表面に直接的に締結されないので、紫外線遮蔽部材を容易に回動させることができる。なお、紫外線遮蔽部材の外縁近傍とは、紫外線遮蔽部材の外縁の位置そのものと、紫外線遮蔽部材の外縁の位置の近傍との両方を含む意味である。
【００１３】
上記スペーサ部材を備えるインバータ装置において、好ましくは、紫外線遮蔽部材は、略矩形形状を有しており、略矩形形状の紫外線遮蔽部材の第１角部近傍には、スペーサ部材が取り付けられる貫通孔が設けられているともに、第１角部の対角に対応する第２角部近傍には、切欠き部が設けられており、切欠き部を貫通した状態で紫外線遮蔽部材を筐体の外表面に対して固定する第２締結部材をさらに備える。このように構成すれば、紫外線遮蔽部材を回動させない場合に、紫外線遮蔽部材を第２締結部材により安定的に固定することができる。また、第２締結部材が切欠き部を貫通していることによって、切欠き部の開放端を介して第２締結部材を切欠き部から抜き出すことができる。これにより、第２締結部材を外表面から取り外すことなく紫外線遮蔽部材を回動させることができる。なお、第１角部（第２角部）近傍とは、第１角部（第２角部）の位置そのものと、第１角部（第２角部）の位置の近傍との両方を含む意味である。
【００１４】
この場合、好ましくは、第２締結部材は、つまみネジ部材を含み、つまみネジ部材が緩められた場合に、つまみネジ部材が切欠き部を通過することにより紫外線遮蔽部材が回動可能に構成されている。このように構成すれば、第２締結部材がつまみネジ部材を含むことにより、ユーザは、工具を用いることなく第２締結部材を指でつまんで容易に緩める（締める）ことができる。その結果、紫外線遮蔽部材を回動（固定）させるために第２締結部材を緩める（締める）作業を容易に行うことができる。
【００１５】
上記一の局面によるインバータ装置において、好ましくは、インバータ本体部の正面側から見て、筐体の外表面は、略矩形形状を有しており、紫外線遮蔽部材は、インバータ本体部が設置された状態で、水平方向における筐体の略中央部に設けられている。このように構成すれば、操作部を露出させるために紫外線遮蔽部材を移動（回動）させる場合において、紫外線遮蔽部材が水平方向における筐体の端部側に設けられている場合に比べて、紫外線遮蔽部材が筐体の水平方向の端部から水平方向にはみ出すのを抑制することができる。これにより、インバータ装置の水平方向に隣接するように別の機器が配置されている場合において、紫外線遮蔽部材と周囲の機器とが干渉するのを抑制することができる。
【００１６】
また、紫外線遮蔽部材が水平方向における筐体の端部側に設けられている場合に比べて、インバータ装置の水平方向に隣接するように別の機器が配置されている場合において、ユーザと上記別の機器とが干渉するのを抑制することができるとともに、ユーザの作業性が低下するのを抑制することができる。
【００１７】
上記一の局面によるインバータ装置において、好ましくは、筐体の操作部が配置される位置には、操作部側開口部が設けられており、筐体の裏面において、操作部側開口部の周縁に密着して設けられ、シート部材の外縁部の筐体側の表面と密着する操作部側シール部材をさらに備える。このように構成すれば、操作部側シール部材とシート部材とが筐体の外部（外表面側）において密着している場合に比べて、外的な要因により操作部側シール部材とシート部材との密着がはがれるのを抑制することができる。その結果、シート部材による操作部の密閉性が劣化するのをさらに抑制することができる。
【００１８】
この場合、好ましくは、操作部の筐体とは反対側に設けられ、シート部材とによって操作部を挟み込む固定部と、筐体の裏面に対して、固定部、操作部、シート部材および操作部側シール部材を挟んだ状態で、筐体の裏面に固定される板金部材とを、さらに備える。このように構成すれば、固定部および板金部材によって、操作部およびシート部材を安定的に保持することができる。
【００１９】
上記固定部および板金部材を備えるインバータ装置において、好ましくは、筐体の裏面に対して、固定部、操作部、シート部材および操作部側シール部材を挟んだ状態で、板金部材を介して筐体の裏面に締結される第３締結部材をさらに備える。このように構成すれば、第３締結部材により、操作部とシート部材とを圧着させることができる。その結果、シート部材による操作部の密閉性を向上させることができる。
【００２０】
上記一の局面によるインバータ装置において、好ましくは、筐体は、インバータ本体部を内部に収容する箱状の筐体本体部と、操作部が取り付けられるとともに箱状の筐体本体部を覆う開閉可能な筐体蓋部とを含み、筐体本体部と筐体蓋部との間に設けられる筐体側シール部材をさらに備える。このように構成すれば、筐体側シール部材により、筐体本体部内に水分および粉塵等が侵入するのを抑制することができる。
【発明の効果】
【００２１】
本発明によれば、上記のように、紫外線によるシート部材の劣化を抑制することができるとともに操作パネルの密閉性の劣化を抑制することができる。
【図面の簡単な説明】
【００２２】
【図１】一実施形態によるインバータ装置の操作部を露出させた状態の斜視図である。
【図２】図１の拡大図である。
【図３】一実施形態によるインバータ装置の操作部を露出させていない状態の斜視図である。
【図４】図３の拡大図である。
【図５】一実施形態によるインバータ装置の紫外線遮蔽部材の第１角部近傍の拡大斜視図である。
【図６】一実施形態によるインバータ装置の締結された第１締結部材の状態を説明するための拡大断面図である。
【図７】一実施形態によるインバータ装置の紫外線遮蔽部材の第２角部近傍の拡大斜視図である。
【図８】一実施形態によるインバータ装置の締結された第２締結部材の状態を説明するための拡大断面図である。
【図９】一実施形態によるインバータ装置の緩められた第２締結部材の状態を説明するための拡大断面図である。
【図１０】一実施形態によるインバータ装置の筐体蓋部の裏面側の構成を説明するための斜視図である。
【図１１】図１１の拡大図である。
【図１２】一実施形態によるインバータ装置の筐体蓋部の裏面側に配置される部材の固定方法を説明するための斜視図である。
【図１３】一実施形態によるインバータ装置の筐体蓋部の裏面側に配置される部材および紫外線遮蔽部材を紫外線遮蔽部材側から見た斜視図である。
【図１４】一実施形態によるインバータ装置の筐体蓋部を開けた状態の斜視図である。
【図１５】図１４の拡大図である。
【発明を実施するための形態】
【００２３】
以下、本発明を具体化した実施形態を図面に基づいて説明する。
【００２４】
［本実施形態］
図１〜図１５を参照して、本実施形態によるインバータ装置１００の構成について説明する。
【００２５】
インバータ装置１００は、たとえば、屋外において設けられる濾過装置などのモータの駆動に用いられる。インバータ装置１００は、屋外において、上記濾過装置などのモータに接続されている。
【００２６】
（インバータ装置の構成）
図１に示すように、インバータ装置１００は、インバータ本体部１（図１４参照）を備える。また、インバータ装置１００は、インバータ本体部１を覆う筐体２を備える。具体的には、筐体２は、インバータ本体部１を内部に収容する箱状の筐体本体部２ａを含む。また、筐体２は、箱状の筐体本体部２ａを覆う筐体蓋部２ｂを含む。
【００２７】
筐体本体部２ａと筐体蓋部２ｂとは、上下方向（Ｚ方向）に設けられている２つのヒンジ部１０１により接続されており、ヒンジ部１０１を支点に筐体蓋部２ｂは開閉可能に構成されている。
【００２８】
また、図１および図２に示すように、インバータ装置１００は、筐体２（筐体蓋部２ｂ）に取り付けられる操作パネル３を備える。操作パネル３は、インバータ本体部１の操作に用いられる。具体的には、操作パネル３は、押しボタン式のコントローラであり、ユーザは、操作パネル３のボタンを押すことによりインバータ装置１００（インバータ本体部１）を操作する。なお、操作パネル３は、特許請求の範囲の「操作部」の一例である。
【００２９】
また、筐体２（筐体蓋部２ｂ）は、インバータ本体部１の正面側（Ｙ２方向側）から見て略矩形形状を有する外表面２ｃを含む。また、筐体２（筐体蓋部２ｂ）の操作パネル３が配置される位置には、開口部２ｄが設けられている。開口部２ｄは、筐体２（筐体蓋部２ｂ）の外表面２ｃに設けられている。開口部２ｄは、インバータ本体部１の正面側（Ｙ２方向側）から見て、略矩形形状を有している。なお、開口部２ｄは、特許請求の範囲の「操作部側開口部」の一例である。
【００３０】
操作パネル３の操作面３ａは、開口部２ｄから露出されている。なお、操作パネル３の操作面３ａは、筐体２（筐体蓋部２ｂ）の外表面２ｃに対して、筐体２の内部側（Ｙ１方向側）に位置している。すなわち、開口部２ｄと操作面３ａとにより、Ｙ１方向側に窪んだ凹部が形成されている。
【００３１】
また、インバータ装置１００は、操作パネル３を密閉して覆うように設けられる密閉シート４を備える。密閉シート４は、たとえばＰＥＴ（Ｐｏｌｙｅｔｈｙｌｅｎｅｔｅｒｅｐｈｔｈａｌａｔｅ）樹脂製である。密閉シート４の配置方法については後に詳細に説明する。なお、密閉シート４は、特許請求の範囲の「シート部材」の一例である。
【００３２】
ここで、本実施形態では、インバータ装置１００は、操作パネル３（操作面３ａ）および密閉シート４を覆うように設けられ（図３参照）、紫外線を遮蔽するアクリル板５を備える。アクリル板５は、略矩形形状を有している。アクリル板５がネジ部材８（後述）により筐体２の外表面２ｃに対して固定されている場合（図４参照）、アクリル板５により開口部２ｄは露出されない。なお、アクリル板５は、特許請求の範囲の「紫外線遮蔽部材」の一例である。
【００３３】
また、本実施形態では、アクリル板５（開口部２ｄ）は、インバータ本体部１が設置された状態で、水平方向（Ｘ方向）における筐体２の略中央部に設けられている。また、アクリル板５は、垂直方向（Ｚ方向）において、ユーザの目線の位置の近傍に設けられるのが好ましい。
【００３４】
また、図２に示すように、アクリル板５には、アクリル板５が操作パネル３（操作面３ａ）および密閉シート４を覆っている場合（図３参照）に、操作パネル３の表示（液晶表示およびＬＥＤランプなどの表示）が視認可能に、透明部分５ａが設けられている。また、アクリル板５において透明部分５ａ以外は不透明（たとえば黒色）である。なお、図２以外では、透明部分５ａは、簡略化のため、図示を省略している。
【００３５】
また、本実施形態では、アクリル板５は、筐体２の外表面２ｃに対して開閉させて、操作パネル３を露出可能に構成されている。具体的には、アクリル板５は、筐体２の外表面２ｃに沿って移動させて、操作パネル３を露出可能に構成されている。以下に、アクリル板５の移動について説明する。
【００３６】
本実施形態では、インバータ装置１００は、アクリル板５を筐体２の外表面２ｃに取り付けるためのネジ部材６（たとえば化粧ネジ）を備えている。ネジ部材６は、アクリル板５を筐体２の外表面２ｃに沿って回動させて操作パネル３を露出可能に、アクリル板５を筐体２の外表面２ｃに取り付けている。なお、ネジ部材６は、特許請求の範囲の「第１締結部材」の一例である。
【００３７】
具体的には、操作パネル３（操作面３ａ）および密閉シート４がアクリル板５により覆われている状態（図３参照）から、アクリル板５がネジ部材６を軸としてＤ１方向側に回動することにより、操作パネル３（操作面３ａ）および密閉シート４は露出される。また、操作パネル３（操作面３ａ）および密閉シート４が露出されている状態から、アクリル板５がネジ部材６を軸としてＤ２方向側に回動することにより、操作パネル３（操作面３ａ）および密閉シート４はアクリル板５により覆われる。
【００３８】
図４に示すように、アクリル板５の角部５ｂ（外表面２ｃを正面から見て左上の角部）には、貫通孔５ｃが設けられている。また、アクリル板５の角部５ｂの対角に対応する角部５ｄ（外表面２ｃを正面から見て右下の角部）には、切欠き部５ｅが設けられている。切欠き部５ｅの開放端は、略矩形形状のアクリル板５のＺ方向に延びる２辺のうちＸ１方向側の辺に設けられている。また、切欠き部５ｅの開放端は、切欠き部５ｅの溝部５ｊ（図７参照、後述）と連続的に形成されている。なお、角部５ｂおよび角部５ｄは、それぞれ、特許請求の範囲の「第１角部」および「第２角部」の一例である。
【００３９】
また、インバータ装置１００は、貫通孔５ｃに取り付けられるスペーサ部材７を備える。スペーサ部材７は、貫通孔５ｃに嵌合するように設けられている。スペーサ部材７は、円筒形状を有しており、ネジ部材６を貫通させるための貫通孔７ａ（図５参照）を含む。また、スペーサ部材７と貫通孔５ｃとの間には、微小な空隙Ｃ（図５参照）が設けられている。また、スペーサ部材７は、ステンレス製である。なお、図５では、ネジ部材６は、簡略化のため、図示を省略している。
【００４０】
また、本実施形態では、切欠き部５ｅを貫通した状態でアクリル板５を筐体２の外表面２ｃに対して固定するネジ部材８を備える。ネジ部材８はつまみネジ部材である。ネジ部材８の頭部８ａ（図８参照）には図示しない凹凸が設けられている。これにより、ユーザがネジ部材８をつまむ（回す）のを容易化することが可能である。また、ネジ部材８は、マイナスドライバ等により締結および締結の解除を行うことも可能である。なお、ネジ部材８は、特許請求の範囲の「第２締結部材」および「つまみネジ部材」の一例である。
【００４１】
ここで、本実施形態では、図６に示すように、ネジ部材６は、スペーサ部材７の貫通孔７ａを貫通した状態で筐体２の外表面２ｃに締結されている。これにより、アクリル板５は、筐体２の外表面２ｃに沿って回動可能に筐体２の外表面２ｃに取り付けられている。具体的には、アクリル板５の貫通孔５ｃの内表面をスペーサ部材７の外表面に沿って摺動させることにより、アクリル板５は回動する。
【００４２】
また、筐体２の筐体蓋部２ｂの裏面２ｅには、ネジ部材６が挿入されるナット２ｆが設けられている。スペーサ部材７の貫通孔７ａを貫通したネジ部材６がナット２ｆに挿入されるとともにネジ締結されることにより、アクリル板５は筐体２の外表面２ｃに取り付けられる。なお、ナット２ｆは、筐体２の筐体蓋部２ｂの裏面２ｅ側から圧入されて固定されている。
【００４３】
また、スペーサ部材７の筐体２とは反対側（Ｙ２方向側）の端部７ｂは、アクリル板５の表面５ｆから、筐体２とは反対側（Ｙ２方向側）に突出している。これにより、スペーサ部材７の端部７ｂによって、ネジ部材６（ネジ部材６の頭部）とアクリル板５の表面５ｆとが離間する。
【００４４】
図７に示すように、切欠き部５ｅは、筐体２側（外表面２ｃ側、Ｙ１方向側）に窪んだ凹部５ｇを含む。凹部５ｇは、外表面２ｃを正面側（Ｙ２方向側）から見て、円弧形状を有している。また、凹部５ｇは、内壁面５ｈと、底面５ｉとを有する。また、切欠き部５ｅは、凹部５ｇと連続的に形成されている溝部５ｊを含む。なお、図７では、ネジ部材８は、簡略化のため、図示を省略している。
【００４５】
図８に示すように、ネジ部材８の頭部８ａの筐体２側（外表面２ｃ側、Ｙ１方向側）の端部が凹部５ｇに挿入されている場合、頭部８ａの筐体２側（外表面２ｃ側、Ｙ１方向側）の底面８ｃと、凹部５ｇの底面５ｉとが当接する。また、ネジ部材８のネジ部８ｂは、溝部５ｊを貫通して、筐体２の裏面２ｅ側まで挿入されている。この場合、頭部８ａと凹部５ｇの内壁面５ｈとが干渉して、アクリル板５は回動されず固定される。なお、本実施形態では、ネジ部８ｂは、ネジ部材８のうちの頭部８ａ以外の部分を意味する。
【００４６】
ここで、本実施形態では、図９に示すように、ネジ部材８が緩められた場合に、ネジ部材８が切欠き部５ｅを通過することによりアクリル板５が回動可能になる。具体的には、ネジ部材８が緩められ、Ｙ２方向側に移動された（抜き出された）場合、頭部８ａと凹部５ｇの内壁面５ｈとが干渉しなくなる。これにより、ネジ部材８のネジ部８ｂが溝部５ｊを通過可能になり、アクリル板５が回動可能になる。なお、溝部５ｊは、貫通孔５ｃ（図４参照）を中心とした円弧形状を有している。
【００４７】
また、筐体２の筐体蓋部２ｂの裏面２ｅには、ネジ部材８が挿入されるナット２ｇが設けられている。溝部５ｊを貫通したネジ部材８がナット２ｇに挿入されるとともにネジ締結されることにより、アクリル板５は筐体２の外表面２ｃに取り付けられる。なお、ナット２ｇは、筐体２の筐体蓋部２ｂの裏面２ｅ側から圧入されて固定されている。
【００４８】
図１０に示すように、インバータ装置１００（図１参照）は、筐体２（筐体蓋部２ｂ）の裏面２ｅにおいて、開口部２ｄの周縁に密着して設けられるガスケット９を備える。すなわち、ガスケット９は、矩形形状で、かつ、枠形状を有する。ガスケット９と筐体２（筐体蓋部２ｂ）の裏面２ｅとは、両面テープ（図示せず）により接着されている。なお、図１０では、簡略化のために、説明に不要な部材は図示を省略している。また、ガスケット９は、特許請求の範囲の「操作部側シール部材」の一例である。
【００４９】
図１１に示すように、筐体２（筐体蓋部２ｂ）の裏面２ｅにおいて、枠形状のガスケット９の４角の各々の近傍には、ナット２ｈが設けられている。ナット２ｈは、筐体２（筐体蓋部２ｂ）とは反対側（Ｙ１方向側）から後述するネジ部材１２（図１２参照）を挿入可能に構成されている。
【００５０】
ここで、本実施形態では、図１２に示すように、ガスケット９は、密閉シート４の外縁部４ａの筐体２側（Ｙ２方向側）の表面４ｂ（図１３参照）と密着するように配置されている。すなわち、密閉シート４は、ガスケット９に対して筐体２（筐体蓋部２ｂ）とは反対側（Ｙ１方向側）に設けられる。操作パネル３は、密閉シート４に対して筐体２（筐体蓋部２ｂ）とは反対側（Ｙ１方向側）に設けられる。また、操作パネル３は、筐体２の裏面２ｅに対して垂直な方向側（Ｙ１方向側）から見て、密閉シート４の外縁部４ａに取り囲まれるように設けられる。なお、図１３では、簡略化のため、筐体２および操作パネル３の図示を省略している。
【００５１】
また、操作パネル３の筐体２（筐体蓋部２ｂ）とは反対側（Ｙ１方向側）の表面３ｂにおいて、４角のうちの２つの角部（Ｙ１方向側から見て、右上および左下の角部）の各々の近傍には、ネジ挿入孔３ｃが設けられている。
【００５２】
また、操作パネル３の表面３ｂには、配線（図示せず）が接続されるコネクタ３ｄが設けられている。
【００５３】
また、本実施形態では、インバータ装置１００（図１参照）は、操作パネル３に対して筐体２とは反対側（Ｙ１方向側）に設けられる操作パネル固定部１０を備える。操作パネル３は、操作パネル固定部１０と密閉シート４とによって挟み込まれる。操作パネル固定部１０と密閉シート４（外縁部４ａ）とは両面テープにより接着されている。なお、操作パネル固定部１０は、特許請求の範囲の「固定部」の一例である。
【００５４】
また、操作パネル固定部１０の中央部には、操作パネル３を固定（保持）するための略矩形形状の開口部１０ａが設けられている。また、操作パネル固定部１０の４角の各々の近傍には、ネジ挿入孔１０ｂが設けられている。
【００５５】
また、インバータ装置１００は、筐体２（筐体蓋部２ｂ）の裏面２ｅに対して、操作パネル固定部１０、操作パネル３、密閉シート４、および、ガスケット９を挟んだ状態で、筐体２（筐体蓋部２ｂ）の裏面２ｅに固定される板金部材１１を備える。すなわち、板金部材１１は、操作パネル固定部１０に対して筐体２とは反対側（Ｙ１方向側）に設けられる。筐体２（筐体蓋部２ｂ）の裏面２ｅに板金部材１１が固定される場合、ガスケット９は、板金部材１１と裏面２ｅとにより挟まれることにより圧縮される。
【００５６】
また、板金部材１１の４角のうちの３つの角部（Ｙ１方向側から見て、左上、右上、および、右下の角部）の各々の近傍には、ネジ挿入孔１１ａが設けられている。また、板金部材１１の４角のうちの１つの角部（Ｙ１方向側から見て、左下の角部）の近傍には、ネジ挿入切欠き１１ｂが設けられている。なお、Ｙ１方向側から見て、左下の角部には、ネジ挿入切欠き１１ｂではなくネジ挿入孔１１ａが設けられていてもよい。
【００５７】
また、板金部材１１の４角のうちの２つの角部（Ｙ１方向側から見て、右上および左下の角部）の各々の近傍には、ネジ挿入孔１１ｃが設けられている。
【００５８】
また、板金部材１１には、操作パネル３のコネクタ３ｄを露出させるための孔部１１ｄが設けられている。すなわち、コネクタ３ｄは、操作パネル固定部１０の開口部１０ａを介して板金部材１１の孔部１１ｄに挿入される。
【００５９】
ここで、本実施形態では、インバータ装置１００は、筐体２（筐体蓋部２ｂ）の裏面２ｅに対して、操作パネル固定部１０、操作パネル３、密閉シート４、および、ガスケット９を挟んだ状態で、板金部材１１を介して筐体２（筐体蓋部２ｂ）の裏面２ｅに締結されるネジ部材１２を備える。具体的には、ネジ部材１２は、板金部材１１のネジ挿入孔１１ａ（ネジ挿入切欠き１１ｂ）、および、操作パネル固定部１０のネジ挿入孔１０ｂを貫通して、ナット２ｈに挿入（締結）される。なお、ネジ部材１２は、特許請求の範囲の「第３締結部材」の一例である。
【００６０】
また、インバータ装置１００には、ネジ部材１３が設けられている。ネジ部材１３は、板金部材１１のネジ挿入孔１１ｃ、および、操作パネル固定部１０の開口部１０ａを貫通して、操作パネル３のネジ挿入孔３ｃに挿入される。
【００６１】
また、本実施形態では、図１４および図１５に示すように、インバータ装置１００は、筐体本体部２ａと筐体蓋部２ｂとの間に設けられるガスケット１４を備える。ガスケット１４は、筐体蓋部２ｂの裏面２ｅに接着されている。ガスケット１４は、操作パネル３を取り囲むように枠形状を有している。なお、ガスケット１４は、特許請求の範囲の「筐体側シール部材」の一例である。
【００６２】
また、筐体本体部２ａの前面側（Ｙ２方向側）には、インバータ本体部１を露出させる枠形状の開口部２ｉが設けられている。筐体本体部２ａの前面側（Ｙ２方向側）において、開口部２ｉの周縁には、筐体蓋部２ｂを閉じた場合にガスケット１４と当接する、枠形状のガスケット受け部１５が設けられている。
【００６３】
また、筐体本体部２ａには、筐体蓋部２ｂを閉じた場合に筐体蓋部２ｂを仮止めするためのロック部１６が設けられている。ロック部１６は、外表面２ｃ（図１参照）に対してＸ２方向側の側面２ｊに設けられている。また、ロック部１６は、Ｚ方向において、側面２ｊの中央近傍に設けられている。
【００６４】
また、筐体本体部２ａと筐体蓋部２ｂとは、ロック部１６に加えて、ネジ部材１７（図１５参照）により固定される。ネジ部材１７は、開口部２ｉの４角の各々の近傍に設けられている。また、筐体蓋部２ｂには、ネジ部材１７を挿入するための挿入孔２ｋ（図１５参照）が設けられている。挿入孔２ｋは、外表面２ｃの４角の各々の近傍（図１参照）に設けられている。
【００６５】
また、筐体本体部２ａには、ネジ部材１７を挿入するための挿入孔２ｌ（図１５参照）が設けられている。図１５では、ネジ部材１７は挿入孔２ｌにのみ挿入されているが、実際には、ネジ部材１７は、挿入孔２ｋを貫通して挿入孔２ｌに挿入される。
【００６６】
筐体蓋部２ｂを閉じる場合には、ロック部１６により筐体本体部２ａと筐体蓋部２ｂとを仮止めした状態で、４つのネジ部材１７により筐体本体部２ａと筐体蓋部２ｂとを固定する。
【００６７】
また、筐体２（筐体蓋部２ｂ）の外表面２ｃの周縁には、湾曲部２ｍ（図１参照）が設けられている。すなわち、湾曲部２ｍは、外表面２ｃを取り囲むように設けられている。これにより、筐体蓋部２ｂの機械的強度を向上させることが可能である。その結果、筐体本体部２ａと筐体蓋部２ｂとを固定するネジ部材１７の本数の増加を抑制することが可能である。
【００６８】
（本実施形態の効果）
本実施形態では、以下のような効果を得ることができる。
【００６９】
本実施形態では、上記のように、操作パネル３を密閉して覆うように設けられる密閉シート４と、操作パネル３および密閉シート４を覆うように設けられ、紫外線を遮蔽するアクリル板５と、を備えるように、インバータ装置１００を構成する。これにより、アクリル板５により密閉シート４に紫外線が照射されるのを抑制することができるので、密閉シート４の紫外線による劣化を抑制することができる。その結果、密閉シート４の劣化に起因する操作パネル３の密閉性の劣化を抑制することができる。
【００７０】
また、本実施形態では、上記のように、アクリル板５が、筐体２の外表面２ｃに対して開閉させて、操作パネル３を露出可能にインバータ装置１００を構成する。これにより、ユーザが操作パネル３を操作する場合などの必要な場合だけ、アクリル板５を開いて操作パネル３を露出させることができる。その結果、ユーザの操作性を確保しながら、アクリル板５により紫外線による密閉シート４の劣化を抑制することができる。
【００７１】
また、本実施形態では、上記のように、アクリル板５が、筐体２の外表面２ｃに沿って移動させて、操作パネル３を露出可能にインバータ装置１００を構成する。これにより、ユーザがアクリル板５を移動させる場合に、ユーザ側（手前側）にアクリル板５が移動することがないので、周囲に機器が配置されている狭い空間などにおいても、容易にアクリル板５を移動させることができる。
【００７２】
また、本実施形態では、上記のように、ネジ部材６が、アクリル板５を筐体２の外表面２ｃに沿って回動させて操作パネル３を露出可能に、アクリル板５を筐体２の外表面２ｃに取り付けるように、インバータ装置１００を構成する。これにより、筐体２の外表面２ｃへの取り付けに用いられるネジ部材６を利用して、アクリル板５を回動させることができるので、装置構成を簡略化することができるとともに部品点数の増加を抑制することができる。
【００７３】
また、本実施形態では、上記のように、ネジ部材６がスペーサ部材７を貫通した状態で筐体２の外表面２ｃに締結されることにより、アクリル板５が筐体２の外表面２ｃに沿って回動可能に筐体２の外表面２ｃに取り付けられるように、インバータ装置１００を構成する。これにより、スペーサ部材７を用いることによってネジ部材６によりアクリル板５が筐体２の外表面２ｃに直接的に締結されないので、アクリル板５を容易に回動させることができる。
【００７４】
また、本実施形態では、上記のように、略矩形形状のアクリル板５の角部５ｂ近傍には、スペーサ部材７が取り付けられる貫通孔５ｃが設けられているともに、角部５ｂの対角に対応する角部５ｄ近傍には、切欠き部５ｅが設けられている。そして、切欠き部５ｅを貫通した状態でアクリル板５を筐体２の外表面２ｃに対して固定するネジ部材８を備えるように、インバータ装置１００を構成する。これにより、アクリル板５を回動させない場合に、アクリル板５をネジ部材８により安定的に固定することができる。また、ネジ部材８が切欠き部５ｅを貫通していることによって、切欠き部５ｅの開放端を介してネジ部材８を切欠き部５ｅから抜き出すことができる。これにより、ネジ部材８を外表面２ｃから取り外すことなくアクリル板５を回動させることができる。
【００７５】
また、本実施形態では、上記のように、ネジ部材８は、つまみネジ部材を含む。そして、つまみネジ部材（ネジ部材８）が緩められた場合に、つまみネジ部材（ネジ部材８）が切欠き部５ｅを通過することによりアクリル板５が回動可能にインバータ装置１００を構成する。これにより、ネジ部材８がつまみネジ部材を含むことにより、ユーザは、工具を用いることなくネジ部材８を指でつまんで容易に緩める（締める）ことができる。その結果、アクリル板５を回動（固定）させるためにネジ部材８を緩める（締める）作業を容易に行うことができる。
【００７６】
また、本実施形態では、上記のように、アクリル板５が、インバータ本体部１が設置された状態で、水平方向（Ｘ方向）における筐体２の略中央部に設けられるように、インバータ装置１００を構成する。これにより、操作パネル３を露出させるためにアクリル板５を回動させる場合において、アクリル板５が水平方向（Ｘ方向）における筐体２の端部側に設けられている場合に比べて、アクリル板５が筐体２の水平方向（Ｘ方向）の端部から水平方向（Ｘ方向）にはみ出すのを抑制することができる。これにより、インバータ装置１００の水平方向（Ｘ方向）に隣接するように別の機器が配置されている場合において、アクリル板５と周囲の機器とが干渉するのを抑制することができる。
【００７７】
また、アクリル板５が水平方向（Ｘ方向）における筐体２の端部側に設けられている場合に比べて、インバータ装置１００の水平方向（Ｘ方向）に隣接するように別の機器が配置されている場合において、ユーザと上記別の機器とが干渉するのを抑制することができるとともに、ユーザの作業性が低下するのを抑制することができる。
【００７８】
また、本実施形態では、上記のように、筐体２の裏面２ｅにおいて、開口部２ｄの周縁に密着して設けられ、密閉シート４の外縁部４ａの筐体２側（Ｙ２方向側）の表面４ｂと密着するガスケット９を備えるように、インバータ装置１００を構成する。これにより、ガスケット９と密閉シート４とが筐体２の外部（外表面２ｃ側）において密着している場合に比べて、外的な要因によりガスケット９と密閉シート４との密着がはがれるのを抑制することができる。その結果、密閉シート４による操作パネル３の密閉性が劣化するのをさらに抑制することができる。
【００７９】
また、本実施形態では、上記のように、操作パネル３の筐体２とは反対側（Ｙ１方向側）に設けられ、密閉シート４とによって操作パネル３を挟み込む操作パネル固定部１０と、筐体２の裏面２ｅに対して、操作パネル固定部１０、操作パネル３、密閉シート４およびガスケット９を挟んだ状態で、筐体２の裏面２ｅに固定される板金部材１１とを備えるように、インバータ装置１００を構成する。これにより、操作パネル固定部１０および板金部材１１によって、操作パネル３および密閉シート４を安定的に保持することができる。
【００８０】
また、本実施形態では、上記のように、筐体２の裏面２ｅに対して、操作パネル固定部１０、操作パネル３、密閉シート４およびガスケット９を挟んだ状態で、板金部材１１を介して筐体２の裏面２ｅに締結されるネジ部材１２を備えるように、インバータ装置１００を構成する。これにより、操作パネル固定部１０および板金部材１１によって、操作パネル３と密閉シート４とを圧着させることができる。その結果、密閉シート４による操作パネル３の密閉性を向上させることができる。
【００８１】
また、本実施形態では、上記のように、筐体本体部２ａと筐体蓋部２ｂとの間に設けられるガスケット１４を備えるように、インバータ装置１００を構成する。これにより、ガスケット１４により、筐体本体部２ａ内に水分および粉塵等が侵入するのを抑制することができる。
【００８２】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８３】
たとえば、上記実施形態では、紫外線遮蔽部材（アクリル板５）を筐体の外表面に沿って回動させる例を示したが、本発明はこれに限られない。たとえば、紫外線遮蔽部材（アクリル板５）がヒンジ機構を備えており、ヒンジ機構を利用して紫外線遮蔽部材（アクリル板５）を開閉させるように構成されていてもよい。また、紫外線遮蔽部材（アクリル板５）を筐体の外表面に沿って水平方向または垂直方向にスライド移動させるように構成されていてもよい。
【００８４】
また、上記実施形態では、紫外線遮蔽部材（アクリル板５）は略矩形形状を有している例を示したが、本発明はこれに限られない。紫外線遮蔽部材（アクリル板５）が矩形形状以外の形状（たとえば円形形状）を有していてもよい。
【００８５】
また、上記実施形態では、第２締結部材（ネジ部材８）は、第１締結部材（ネジ部材６）が設けられる第１角部（角部５ｂ）の対角に対応する第２角部（角部５ｄ）の近傍に設けられている例を示したが、本発明はこれに限られない。たとえば、第２締結部材（ネジ部材８）は、第１角部（角部５ｂ）および第２角部（角部５ｄ）以外の角部に設けられていてもよい。
【００８６】
また、上記実施形態では、第１締結部材（ネジ部材６）が設けられる第１角部（角部５ｂ）は、紫外線遮蔽部材（アクリル板５）を正面から見て、紫外線遮蔽部材（アクリル板５）の左上の角部である例を示したが、本発明はこれに限られない。たとえば、紫外線遮蔽部材（アクリル板５）を正面から見て、第１角部（角部５ｂ）は、紫外線遮蔽部材（アクリル板５）の左上以外（右上、右下、および、左下）の角部であってもよい。
【００８７】
また、上記実施形態では、第２締結部材（ネジ部材８）が、紫外線遮蔽部材（アクリル板５）の１つの角部（角部５ｄ）にのみ設けられる例を示したが、本発明はこれに限られない。たとえば、第２締結部材（ネジ部材８）が、紫外線遮蔽部材（アクリル板５）の複数の角部に設けられていてもよい。
【００８８】
また、上記実施形態では、紫外線遮蔽部材（アクリル板５）は、板状の部材である例を示したが、本発明はこれに限られない。たとえば、紫外線遮蔽部材は、板状以外の形状の部材であってもよい。
【００８９】
また、上記実施形態では、紫外線遮蔽部材がアクリルにより形成されている例を示したが、本発明はこれに限られない。たとえば、紫外線遮蔽部材は、アクリル以外の紫外線を遮蔽する機能を有する素材（たとえばポリカーボネート）であってもよい。
【００９０】
また、上記実施形態では、シート部材（密閉シート４）はＰＥＴ樹脂製である例を示したが、本発明はこれに限られない。シート部材（密閉シート４）は、ＰＥＴ樹脂以外の樹脂製であってもよい。
【００９１】
また、上記実施形態では、紫外線遮蔽部材（アクリル板５）は、一部が透明に構成されている例を示したが、本発明はこれに限られない。紫外線遮蔽部材（アクリル板５）の全体が透明であってもよい。
【符号の説明】
【００９２】
１  インバータ本体部
２  筐体
２ａ  筐体本体部
２ｂ  筐体蓋部
２ｃ  外表面
２ｄ  開口部（操作部側開口部）
２ｅ  裏面
３  操作パネル（操作部）
４  密閉シート（シート部材）
４ａ  外縁部
４ｂ  表面（外縁部の筐体側の表面）
５  アクリル板（紫外線遮蔽部材）
５ｂ  角部（第１角部）
５ｃ  貫通孔
５ｄ  角部（第２角部）
５ｅ  切欠き部
６  ネジ部材（第１締結部材）
７  スペーサ部材
８  ネジ部材（第２締結部材）（つまみネジ部材）
９  ガスケット（操作部側シール部材）
１０  操作パネル固定部（固定部）
１１  板金部材
１２  ネジ部材（第３締結部材）
１４  ガスケット（筐体側シール部材）
【図１】
2019103155.tif 000003
【図２】
2019103155.tif 000004
【図３】
2019103155.tif 000005
【図４】
2019103155.tif 000006
【図５】
2019103155.tif 000007
【図６】
2019103155.tif 000008
【図７】
2019103155.tif 000009
【図８】
2019103155.tif 000010
【図９】
2019103155.tif 000011
【図１０】
2019103155.tif 000012
【図１１】
2019103155.tif 000013
【図１２】
2019103155.tif 000014
【図１３】
2019103155.tif 000015
【図１４】
2019103155.tif 000016
【図１５】
2019103155.tif 000017